(57)【要約】【課題】ＡＳＦやＡＶＩコンテンツを再生する際、最初にコンテンツのヘッダ部分を解析し、その解析結果を踏まえて、復号化デバイスに設定を行う必要があるため、実際に映像や音声を出力する前に時間を必要とする点である。【解決手段】あらかじめ復号化デバイスに設定が必要な情報をディスク上の所定領域に記録しておき、その情報を使用することによって、ヘッダ解析等によって映像や音声の出力開始前に時間を必要とするという点を改善する。【選択図】図１
2006120237.tif 000002
【特許請求の範囲】
【請求項１】
コンテンツと前記コンテンツに対応した設定情報と前記コンテンツに対応した識別情報とが記録された記録媒体を再生可能な映像音声再生装置であって、
前記記録媒体からデータを読み出すデータ読み出し手段と、前記記録媒体へデータを書き込むデータ書き込み手段と、前記データ読み出し手段及び前記データ書き込み手段を制御するシステム制御手段と、前記データ読み出し手段から読み出されたデータをコンテンツ毎にそれぞれの符号化方法に応じて復号化処理し復号化処理された映像音声を出力する再生手段と、前記データ読み出し手段から読み出されたデータから前記復号化手段で復号に必要な設定情報を抽出する設定情報抽出手段とを備え、
前記システム制御手段は、前記設定情報抽出手段によって抽出される所定情報を前記データ書き込み手段を制御し前記記録媒体へ記録し、前記記録媒体の再生時に前記記録媒体に記録された前記所定情報に基づき復号化して再生制御することを特徴とする映像音声記録再生装置。
【請求項２】
映像、音声が記録された記録媒体からデータを読み出すデータ読み出し手段と、
前記記録媒体へデータを書き込むデータ書き込み手段と、
前記データ読み出し手段が所定の記録位置から前記記録媒体上のデータを読み出すように前記データ読み出し手段を制御し、また、前記データ書き込み手段が所定の記録位置から前記記録媒体上へデータを書き込むように前記データ書き込み手段を制御するシステム制御手段と、
前記データ読み出し手段から読み出されたデータを映像、音声毎にそれぞれの符号化方法に応じて復号化処理し、復号化処理された映像、音声を出力するデータ再生手段と、
前記データ読み出し手段から読み出されたデータから前記復号化手段で復号に必要な設定情報を抽出する設定情報抽出手段とから構成される映像音声記録再生装置であって、
前記システム制御手段は、前記設定情報抽出手段によって抽出される所定情報を前記データ書き込み手段を制御し、前記記録媒体へ記録しておくことによって、それ以降の映像、音声の再生開始時に前記記録媒体に記録された前記所定情報を前記復号化手段に設定することによって、再生を開始するように制御することを特徴とする映像音声記録再生装置。
【請求項３】
請求項１及び２を実現するための制御方法。
【請求項４】
請求項３を実現するためのプログラム。
【発明の詳細な説明】
【技術分野】
【０００１】
本発明は、ＡＳＦ（Ａｄｖａｎｃｅｄ  Ｓｔｒｅａｍｉｎｇ  Ｆｏｒｍａｔ）やＡＶＩ（Ａｕｄｉｏ  Ｖｉｄｅｏ  Ｉｎｔｅｒｌｅａｖｅ）コンテンツなどの映像音声を再生する際、映像や音声の出力レスポンスを早くし、操作性向上が可能になる映像音声記録再生装置に関するものである。
【背景技術】
【０００２】
映像や音声等を記録再生する光ディスクとしては、ＶＣＤ（Ｖｉｄｅｏ  Ｃｏｍｐａｃｔ  Ｄｉｓｃ）やＤＶＤ（Ｄｉｇｉｔａｌ  Ｖｅｒｓａｔｉｌｅ  Ｄｉｓｃ）などがよく知られているが、近年、ＰＣ（Ｐｅｒｓｏｎａｌ  Ｃｏｍｐｕｔｅｒ）の普及に伴いＡＳＦやＡＶＩ形式のものを光ディスクに記録する機会も多くなってきた。
【０００３】
さらに、ＤＶＤレコーダやＤＶＤプレーヤなどでも、ＶＣＤやＤＶＤだけでなく、これらＡＳＦやＡＶＩコンテンツの再生にも対応したものが市場に流通するようになってきた。
【特許文献１】特開平１０−１０６１１９号公報
【発明の開示】
【発明が解決しようとする課題】
【０００４】
従来の再生装置の課題は、ＡＳＦやＡＶＩコンテンツを再生する際、まず最初にコンテンツのヘッダー部分を解析し、その解析結果を踏まえて、復号化デバイスに復号化に必要な情報の設定を行う必要があるため、実際に映像や音声を出力する前に時間を必要とする点である。
【０００５】
本発明は、あらかじめ復号化デバイスに設定が必要な情報を光ディスク上の所定領域に記録しておき、その情報を使用するという方法を用いることによって、ヘッダー解析等のために映像や音声の出力開始前に時間を必要とするという点を改善することを最も主要な特徴とする。
【課題を解決するための手段】
【０００６】
上記課題を解決するために本発明は、コンテンツと前記コンテンツに対応した設定情報と前記コンテンツに対応した識別情報とが記録された記録媒体を再生可能な映像音声再生装置であって、前記記録媒体からデータを読み出すデータ読み出し手段と、前記記録媒体へデータを書き込むデータ書き込み手段と、前記データ読み出し手段及び前記データ書き込み手段を制御するシステム制御手段と、前記データ読み出し手段から読み出されたデータをコンテンツ毎にそれぞれの符号化方法に応じて復号化処理し復号化処理された映像音声を出力する再生手段と、前記データ読み出し手段から読み出されたデータから前記復号化手段で復号に必要な設定情報を抽出する設定情報抽出手段とを備え、前記システム制御手段は、前記設定情報抽出手段によって抽出される所定情報を前記データ書き込み手段を制御し前記記録媒体へ記録し、前記記録媒体の再生時に前記記録媒体に記録された前記所定情報に基づき復号化して再生制御するものであり、これにより、あらかじめ復号化デバイスに設定が必要な情報を光ディスク上の所定領域に記録しておき、その情報を使用するという方法を用いることによって、ヘッダー解析等のために映像や音声の出力開始前に時間を必要とするという点を改善する。
【発明の効果】
【０００７】
本発明では、ＡＳＦやＡＶＩなどの映像音声コンテンツを再生する際のレスポンス速度向上機能を提供する。
【発明を実施するための最良の形態】
【０００８】
本発明の請求項１に記載の発明は、コンテンツと前記コンテンツに対応した設定情報と前記コンテンツに対応した識別情報とが記録された記録媒体を再生可能な映像音声再生装置であって、前記記録媒体からデータを読み出すデータ読み出し手段と、前記記録媒体へデータを書き込むデータ書き込み手段と、前記データ読み出し手段及び前記データ書き込み手段を制御するシステム制御手段と、前記データ読み出し手段から読み出されたデータをコンテンツ毎にそれぞれの符号化方法に応じて復号化処理し復号化処理された映像音声を出力する再生手段と、前記データ読み出し手段から読み出されたデータから前記復号化手段で復号に必要な設定情報を抽出する設定情報抽出手段とを備え、前記システム制御手段は、前記設定情報抽出手段によって抽出される所定情報を前記データ書き込み手段を制御し前記記録媒体へ記録し、前記記録媒体の再生時に前記記録媒体に記録された前記所定情報に基づき復号化して再生制御するものである。
【０００９】
請求項２に記載の発明は、映像、音声が記録された記録媒体からデータを読み出すデータ読み出し手段と、前記記録媒体へデータを書き込むデータ書き込み手段と、前記データ読み出し手段が所定の記録位置から前記記録媒体上のデータを読み出すように前記データ読み出し手段を制御し、また、前記データ書き込み手段が所定の記録位置から前記記録媒体上へデータを書き込むように前記データ書き込み手段を制御するシステム制御手段と、前記データ読み出し手段から読み出されたデータを映像、音声毎にそれぞれの符号化方法に応じて復号化処理し、復号化処理された映像、音声を出力するデータ再生手段と、前記データ読み出し手段から読み出されたデータから前記復号化手段で復号に必要な設定情報を抽出する設定情報抽出手段とから構成される映像音声記録再生装置であって、前記システム制御手段は、前記設定情報抽出手段によって抽出される所定情報を前記データ書き込み手段を制御し、前記記録媒体へ記録しておくことによって、それ以降の映像、音声の再生開始時に前記記録媒体に記録された前記所定情報を前記復号化手段に設定することによって、再生を開始するように制御するものである。
【００１０】
本発明の実施の形態について、図１〜３を用いて説明する。
【００１１】
（実施の形態１）
図１は、本発明の実施の形態における記録再生装置の全体構成を説明するブロック図である。図２は、本発明の実施の形態における記録再生装置で再生されるデータのＡＳＦコンテンツ構成例と、コンテンツ設定情報のテーブル例を説明する図である。図３は、本発明の実施の形態における記録再生装置の動作フローを説明する図である。
【００１２】
まず、本発明の実施の形態における記録再生装置の全体構成を説明する。
【００１３】
図１に示すように、本発明の実施の形態における記録再生装置は、記録再生可能な記録媒体である光ディスク１０１、データ読み出し手段及びデータ書き込み手段である光ピックアップ１０２、データ切替部１０３、ヘッダ解析部１０４、再生手段である復号部１０５、出力部１０６、システム制御手段であるコンテンツ情報コントロール部１０７、コンテンツ識別情報取得部１０８、コンテンツ設定情報テーブル格納部１０９から構成される。
【００１４】
光ディスク１０１は、本発明の記録再生装置で記録再生される信号列が記録されているもので、例えばＤＶＤ（デジタル多用途ディスク）やＣＤ（コンパクトディスク）に相当するが、他種のディスクであっても構わない。なお、本実施の形態では「光ディスク」という構成要素名としたが、ディスク状に限るものではなく、他形態の媒体であっても構わない。また記録方式は光学式に限るものではなく、磁気式や光磁気式であっても構わない。
【００１５】
光ピックアップ１０２は、光ディスク１０１に記録された信号列の読み出しと光ディスク１０１への信号の書き込みを行う。また、本実施の形態では光ディスク（いわゆる光学式ディスク）を記録媒体として用いたため光ピックアップを用いたが、媒体から信号やデータを読み出しあるいは書き込みが可能であればよく、少なくとも使用する媒体の記録方式に対応した読み出し／書き込み手段を用いればよい。例えば、使用する媒体が磁気式媒体であれば、磁気ヘッドを用いればよい。
【００１６】
データ切替部１０３は、光ピックアップ１０２を通して読み出された光ディスク１０１に記録された信号を、コンテンツ識別情報、コンテンツ設定情報、コンテンツ毎に出力先を切替える。コンテンツ識別情報についてはコンテンツ識別情報取得部１０８へ、コンテンツ設定情報についてはコンテンツ設定情報テーブル格納部１０９へ入力し、さらに図２に示すようなコンテンツ２０２をヘッダ部２０２１と映像音声データ部２０２２に分離し、それぞれヘッダ解析部１０４、復号部１０５に入力する。
【００１７】
ヘッダ解析部１０４は、光ディスク１０１から読み出したコンテンツのヘッダ部２０２１を解析し、復号部１０５におけるコンテンツの復号に必要な情報を抽出する。
【００１８】
復号部１０５は、光ディスク１０１から読み出された信号を、コンテンツ情報コントロール部１０７から与えられる復号に必要なコンテンツ設定情報を用いて、その符号化方式に応じて復号化処理して出力する。なお、本装置に対応した符号化方式としては、映像ではＭＰＥＧ４、音声ではＧ．７２６などがある。
【００１９】
出力部１０６は、復号部１０５からの信号を入力とし、映像音声信号として出力する。
【００２０】
コンテンツ情報コントロール部１０７は、ヘッダ解析部１０４からの入力データを用い、復号部１０５にコンテンツ再生に必要な情報を出力し、復号化処理をコントロールする。また、光ピックアップ１０２の動作制御や、データ切換部１０３の切り替え制御も行っている。
【００２１】
コンテンツ識別情報取得部１０８は、光ディスク１０１上に記録されている各コンテンツを特定するための識別情報を取得する。
【００２２】
コンテンツ設定情報テーブル格納部１０９は、光ディスク１０１に記録されている各コンテンツを、復号部１０５で復号に必要な設定情報を一括して格納する。
【００２３】
次に、従来までの一般的なＡＳＦコンテンツ再生動作を説明する。装置の構成は本発明とほぼ同等であるので、図１の構成図を用いて説明する。
【００２４】
再生される信号は、ＭＰＥＧ４圧縮符号化された映像データ、およびＧ．７２６圧縮された音声データが多重化されたＡＳＦコンテンツとする。ＡＳＦコンテンツの構造は、図２に示すように、各コンテンツに対応した設定情報や識別情報が記録されたヘッダ部２０２１と、所定形式にて圧縮された映像音声データが記録された映像音声データ部２０２２とから構成され、ディスク２０１上に一つのファイルとして記録されている。
【００２５】
まず、コンテンツ情報コントロール部１０７は、再生装置にディスク１０１が挿入され、ユーザなどからのコンテンツ再生の指示を受けて再生制御を開始する。コンテンツ再生指示は、例えば本装置が搭載されたＤＶＤプレーヤーやＤＶＤレコーダーなどにおける本体あるいはリモコンの再生ボタン押下によるものや、本装置に接続した表示装置（テレビジョン受像機など）にコンテンツリストを表示させて、その中から再生したいコンテンツをカーソルキーなどを用いて選択するなどの方法がある。
【００２６】
次に、再生指示が入力されると、コンテンツ情報コントロール部１０７は、光ディスク１０１に記録されたＡＳＦコンテンツのヘッダ部分２０２１を読み出すように、光ピックアップ１０２を制御する。さらに、コンテンツ情報コントロール部１０７は、光ピックアップ１０２で光ディスク１０１から読み出されたデータがヘッダ解析部１０４に入力されるように、データ切替部１０３を制御する。
【００２７】
光ピックアップ１０２により光ディスク１０１から読み出されたＡＳＦコンテンツのヘッダ部分２０２１はヘッダ解析部１０４に入力される。ヘッダ解析部１０４に入力されたヘッダ情報データ（ストリーム）は、復号部１０５において、コンテンツの復号に必要な情報が抽出され、コンテンツ情報コントロール部１０７に入力される。コンテンツ復号に必要な情報とは、コンテンツの符号化方式などである。
【００２８】
次に、コンテンツ情報コントロール部１０７は、実際に当該ＡＳＦコンテンツの映像音声を復号して出力するために必要な情報を復号部１０５に設定する。例えば、ヘッダ解析部１０４において抽出した符号化方式などの情報に基づき、その符号化方式に対応した復号化方式を、復号部１０５で設定するよう制御する。
【００２９】
その後、コンテンツ情報コントロール部１０７は、ＡＳＦコンテンツの映像音声データ部分２０２２を光ディスク１０１から読み出すように、光ピックアップ１０２を制御する。
【００３０】
光ピックアップ１０２を用いて光ディスク１０１から読み出された映像音声データ部分２０２２のデータは、データ切替部１０３を介して復号部１０５に入力される。復号部１０５では、入力される映像音声データ部分２０２２を、その符号化方式に応じた復号化処理が実行される。復号化された映像音声データは出力部１０６へ入力され、出力部１０６から映像音声信号として出力される。
【００３１】
次に、本発明の実施の形態における動作を図３を用いて説明する。
【００３２】
本発明は、所定条件に合致した際、ヘッダ解析部１０４におけるヘッダ解析処理を不要にするものである。従来動作時と同じく再生される信号は、ヘッダ部と映像音声データ部から構成されたＭＰＥＧ４圧縮符号化された映像データ、およびＧ．７２６圧縮された音声データが多重化されたＡＳＦコンテンツとする。
【００３３】
図３において、ステップ３０１では、コンテンツ情報コントロール部１０７は、記録再生装置にディスクが挿入され、ユーザなどからのコンテンツ再生の指示を受けて、記録再生制御を開始する。
【００３４】
ステップ３０２では、コンテンツ情報コントロール部１０７は、光ピックアップ１０２、データ切替部１０３を制御することにより、コンテンツ識別情報取得部１０８から、これから再生しようとするコンテンツのコンテンツ識別情報を取得する。例えば、そのコンテンツのディレクトリのパス名、ファイル名を取得する。
【００３５】
ステップ３０３では、光ディスク１０１の所定領域からコンテンツ設定情報テーブル２０３を読み出し、コンテンツ情報テーブル格納部１０９に格納するようにデータ切替部１０３を制御する。この例では、図２に示すように、コンテンツ設定情報テーブルが記載されたファイルを「セット品番．ｔｂｌ」としている。もし、コンテンツ設定情報テーブルが記載されたファイルが存在しない場合は、コンテンツ設定情報テーブル格納部１０９はデータなし状態となる。
【００３６】
ステップ３０４では、コンテンツ設定情報テーブル格納部１０９の中に、ステップ３０２で取得した、これから再生しようとしているコンテンツのコンテンツ識別情報に該当するものがあるか確認する。すなわち、これから再生するコンテンツの設定情報がテーブルに記録されているかどうかを確認する。図２の例では、映像の符号化方式（ｖｉｄｅｏ＿ｃｏｄｅｃ＿ｔｙｐｅ）、映像の解像度、音声の符号化方式（ａｕｄｉｏ＿ｃｏｄｅｃ＿ｔｙｐｅ）、サンプリング周波数、としている。映像符号化方式の例としては、ＭＰＥＧ２やＭＰＥＧ４やｍｏｔｉｏｎ−ＪＰＥＧなどがある。映像の解像度としては、ＶＧＡやＸＧＡなどがある。音声符号化方式の例としては、Ｇ．７２６（ＡＤＰＣＭ）やＧ．７１１（ＰＣＭ）などがある。ステップ３０４において、これから再生しようとしているコンテンツの情報がコンテンツ情報テーブルに記録されていれば、ステップ３０５を実行し、記録されていなければステップ３０６を実行する。
【００３７】
まず、ステップ３０５において「コンテンツ情報テーブルにこれから再生しようとしているコンテンツの情報が記録されている」と判断した場合は、ステップ３０５では、コンテンツ情報コントロール部１０７が、コンテンツ設定情報テーブル格納部１０９に格納されたテーブルの中から、該当するコンテンツ設定情報を抽出し、ステップ３０９へ進む。
【００３８】
ステップ３０９では、コンテンツ情報コントロール部１０７が、抽出したコンテンツ設定情報に基づき、復号部１０５における復号処理の設定をする。その後、コンテンツ情報コントロール部１０７は、ＡＳＦコンテンツの映像音声データ部分２０２２を光ディスク１０１から読み出すように、光ピックアップ１０２を制御する。光ピックアップ１０２により光ディスク１０１から読み出された映像音声データ部分２０２２は、データ切替部１０３を介して復号部１０５に入力される。
【００３９】
ステップ３１０では、復号部１０５に入力された映像音声データを復号化処理し、出力部１０６へ出力する。出力部１０６からは、復号された映像音声データを映像音声信号として出力する。
【００４０】
一方、ステップ３０５において、「コンテンツ情報テーブルにこれから再生しようとしているコンテンツの情報が記録されていない」と判断した場合は、ステップ３０６へ進む。ステップ３０６では、コンテンツ情報コントロール部１０７が、ＡＳＦコンテンツのヘッダ部分２０２１を光ディスク１０１から読み出すように、光ピックアップ１０２を制御し、読み出されたヘッダ部分２０２１が、ヘッダ解析部１０４に入力されるように、データ切替部１０３を制御する。
【００４１】
次に、ステップ３０７で、ヘッダ解析部１０４に入力されたヘッダ情報は、ヘッダ解析部１０４にて復号部１０５で復号に必要な設定情報が抽出され、コンテンツ情報コントロール部１０７に入力される。
【００４２】
次に、ステップ３０８で、コンテンツ情報コントロール部１０７が、次回以降の再生時のために、コンテンツ識別情報と復号部１０５で復号に必要な設定情報を、コンテンツ設定情報テーブル格納部１０９上にあるコンテンツ設定情報テーブルに記録する。その後、コンテンツ情報コントロール部１０７は、コンテンツ設定情報テーブル格納部１０９のデータをデータ切替部１０３、光ピックアップ１０２を制御することによって、光ディスク１０１上の所定領域に記録する。
【００４３】
ステップ３０９では、コンテンツ情報コントロール部１０７が、抽出したコンテンツ設定情報に基づき、復号部１０５における復号処理の設定をする。その後、コンテンツ情報コントロール部１０７は、ＡＳＦコンテンツの映像音声データ部分２０２２を光ディスク１０１から読み出すように、光ピックアップ１０２を制御する。光ピックアップ１０２により光ディスク１０１から読み出された映像音声データ部分２０２２は、データ切替部１０３を介して復号部１０５に入力される。
【００４４】
ステップ３１０では、復号部１０５に入力された映像音声データを復号化処理し、出力部１０６へ出力する。出力部１０６からは、復号された映像音声データを映像音声信号として出力する。
【００４５】
上記のような動作フローとすることにより、以前に一度再生したコンテンツであれば、コンテンツ設定情報テーブルに記録されている設定情報を復号部の設定に用いることにより、ヘッダ解析が不要となり、そのコンテンツの再生開始時の映像、音声の出力レスポンスが速くなるという利点がある。
【産業上の利用可能性】
【００４６】
本発明にかかる映像音声記録再生装置は、ＡＳＦやＡＶＩなどの映像または音声が記録されているコンテンツを再生する際に、実際に映像または音声が出力されるまでのレスポンスを早くし、操作性の向上を実現するものである。
【図面の簡単な説明】
【００４７】
【図１】本発明の実施の形態における映像音声記録再生装置のブロック図
【図２】本発明の実施の形態における光ディスク上のデータ構成を示す模式図
【図３】本発明の実施の形態における装置の動作フロー図
【符号の説明】
【００４８】
１０１    光ディスク
１０２    光ピックアップ
１０３    データ切替部
１０４    ヘッダ解析部
１０５    復号部
１０６    出力部
１０７    コンテンツ情報コントロール部
１０８    コンテンツ識別情報取得部
１０９    コンテンツ設定情報テーブル格納部
【図１】
2006120237.tif 000003
【図２】
2006120237.tif 000004
【図３】
2006120237.tif 000005